(57)【特許請求の範囲】
【請求項１】
加熱コイルと、前記加熱コイルの周囲に設けられ前記加熱コイルの発生する磁束を相殺する磁気シールド部材と、光を発生する発光体と、前記加熱コイルの上方に配置された透光性のトッププレートと、前記発光体の光を導く導光体とを備え、前記導光体は前記磁気シールド部材に当接して前記導光体内部から漏れ出た光を前記磁気シールド部材で反射してなる誘導加熱調理器。
【請求項２】
磁気シールド部材は上方に開口した加熱コイル周方向に略平行な溝を設け、前記磁気シールド部材の溝に導光体を備えた請求項１記載の誘導加熱調理器。
【請求項３】
上方に開口した溝は、加熱コイルの周方向に略平行な溝と交差する方向の複数のスリット溝を備え、前記導光体から発する光を前記複数のスリット溝からも散乱させる請求項２記載の誘導加熱調理器。
【請求項４】
磁気シールド部材の周方向に略平行に設けられた溝と連通する複数の切欠き溝を設け、本体内の部品を冷却するファンによる冷却風を前記周方向の溝に導く請求項２または３記載の誘導加熱調理器。
【発明の詳細な説明】
【０００１】
【発明の属する技術分野】
本発明は発光体を使用した誘導加熱調理器に関する。
【０００２】
【従来の技術】
従来この種の誘導加熱調理器として図６に示すようなものがある。図６（ａ）は従来例の発光体を用いた誘導加熱調理器の概念図、図６（ｂ）は導光体７の上面図である。図において本体１の上面に配置したトッププレート２の加熱部３上に調理鍋（図示せず）が載置される。この調理鍋を加熱するためトッププレート１の加熱部２すなわち調理鍋に対応する位置に誘導加熱コイル４を加熱コイル支持台５の上に設けている。そしてトッププレート２の下方の加熱コイル支持台５上に導光体７を設け、この導光体７の大きさを誘導加熱コイル４の外周部を囲う程度の大きさにすることにより導光体７よりの発光が加熱コイル４に妨げられることなくトッププレート２に達しトッププレート２上に加熱部３の範囲を明確にすることができる。光源体８から発した光が導光体７を伝播してその表面から発光する。図６では断面が長方形である導光体７を環状とし、その両端に光源８を１個ずつ配設している。
【０００３】
このような形状の導光体は光を導き、その上面を発光させるために底面及び側面を鏡面として、内部で光を全反射させるが光がそれらの面から漏れて、発光部が暗いぼやけるなどの不都合があった。
【０００４】
【発明が解決しようとする課題】
本発明は前記従来の課題を解決するもので安価な構成で、加熱部を示す導光体の発する光の量を多くして、その視認性を高めた誘導加熱調理器を提供することを目的とするものである。
【０００５】
【課題を解決するための手段】
前記従来の課題を解決するために，本発明の誘導加熱調理器は、導光体を磁気シールド部材に当接して導光体内部から漏れ出た光を磁気シールド部材で反射してなる構成とすることにより、磁気シールド部材を利用して導光体の発光面からの発光量を増して視認性を高め、かつ発光部材と磁気シールド部材を当接することによりそれらの占有体積を減少して実装密度を高めることができる。
【０００６】
【発明の実施の形態】
請求項１に記載の発明は、加熱コイルと、前記加熱コイルの周囲に設けられ前記加熱コイルの発生する磁束を相殺する磁気シールド部材と、光を発生する発光体と、前記加熱コイルの上方に配置された透光性のトッププレートと、前記発光体の光を導く導光体とを備え、前記導光体は前記磁気シールド部材に当接して前記導光体内部から漏れ出た光を前記磁気シールド部材で反射してなることにより、磁気シールド部材に当接した部分で導光体から漏洩する光を反射して、導光体で発光させる形状をはっきり見えるようにすることができる。また、磁気シールド部材に当接して沿わせることで、両者の実装密度を高くすることができる。
【０００７】
請求項２記載の発明は，請求項１記載の構成に於いて、特に、磁気シールド部材は上方に開口した加熱コイル周方向に略平行な溝を設け、前記磁気シールド部材の溝に導光体を備えたものであるので、導光体が溝の内面に接しているので導光体から漏れる光の溝内面での反射量が多くなるので、導光体の発光部から発光する光量をさらに多くして明るくすることができるので、発光形状がさらに見やすくなる。
【０００８】
請求項３記載の発明は、請求項２記載の構成に於いて、特に、上方に開口した溝は、加熱コイルの周方向に略平行な溝と交差する方向の複数のスリット溝を備え、前記導光体から発する光を前記複数のスリット溝からも散乱させることにより、複数のスリット溝により、導光体を増加させることなく多様な発光形状を形成することが可能となる。
【０００９】
請求項４記載の発明は、請求項２または３記載の構成に於いて、特に、磁気シールド部材の周方向に略平行に設けられた溝と連通する複数の切欠き溝を設け、本体内の部品を冷却するファンによる冷却風を前記周方向の溝に導くものであるので、溝に設けられた導光体の温度が上昇するのを防止することができる。
【００１０】
【実施例】
（実施例１）
本発明の実施例１について図１により説明する。図１（ａ）は本実施例１の誘導加熱調理器の断面図，（ｂ）は同導光体の上面図、（ｃ）は同要部断面図である。図に示すように本体１１の底面に設けられた支柱１２の上には加熱コイル支持台１３が載置され、ねじ１４により固定されている。加熱コイル支持台１３は加熱コイル１５が載置され、その上部にセラミック製のトッププレート１６が配設されている。加熱コイル１５はコイルホルダー１７によりその周辺部が加熱コイル保持台１３に押さえつけられて固定され、本体１１内に配設されたインバーターなどの周波数変換装置１８から高周波電流が供給される。
【００１１】
加熱コイル保持台１３の外側面には取付け溝１９を設けこの溝１９内にはループ状に形成され表面に多数の凹凸部２１を有した熱伝導の良好な金属（本実施例ではアルミニウム）でダイキャスト加工で成形された磁気シールド部材２０が挿入されて固定されている。さらに磁気シールド部材２０の外周側面に接してリング状の樹脂性の光を発光する導光体２６が、発光体２７とともに加熱コイル支持台１３上に設けてられている。
【００１２】
本体１１内にはファン２２を備え、温度の低い外気を吸入し本体１１内部の構成部材を冷却して温度上昇した空気は本体１１外へ排出される。
【００１３】
前記構成に於いて、加熱コイル１５に周波数変換装置１８から高周波電流が供給されると加熱コイル１５から磁界が発生する。この磁界はトッププレート１６上に載置されたたとえば鉄製の鍋に鎖交して鍋に渦電流を発生させ、これにより鍋がジュール熱により発熱する。
【００１４】
加熱コイル１５から発生する磁界は磁気シールド部材２０に誘導電流を発生させ加熱コイル１５から発生されて周囲に漏洩する磁界を抑制することができる。また磁気シールド部材２０は誘導電流が流れて発熱している。この磁気シールド部材２０は表面に多数の凹凸部２１を有した熱伝導の良好な金属材料からなりファン２２からの冷却風を受けるとシールド部材２０の冷却効果が増大する。
【００１５】
また、磁気シールド部材２０の外周側面に接してリング状の樹脂性の光を発光する導光体２６が、発光体２７とともに加熱コイル支持台１３上に設けてられているので、導光体２６と磁気シールド部材２０を高密度に実装することができる。
【００１６】
また、図１（ｂ）に示すとおり、導光体２６はその平面形状が略円形状で、シールド部材２０の外周に接するように配置されており、断面は略長方形であり、前記略円形状の一部を切り欠いた形状となっている。この切り欠き部の端面に発光体２７の発した光を照射する。導光体２６はまた、両側面と底面は表面が鏡面状に形成され内部に導かれた光が全反射するようにして、上面で光が拡散するように上面表面を粗くしている。したがって、発光体２７から出た光は、導光体２６の端部から導光体２６内部に入射し、導光体の上部が線状（円形状）に光る。
【００１７】
またさらに、前記導光体２７の形状を図（ｂ’）に示すように、略円形状の一部を交差させ、端部に発光体２７の発した光を照射する構成にすることで、発光体２７から出た光は、導光体２６の端部から導光体２６内部に入射し、導光体の上部が線状でかつ光の欠落部がない略円形状に光る。
【００１８】
また、導光体２６の内周側側面は、磁気シールド部材２０に接しているので、磁気シールド部材に当接した部分で導光体から漏洩する光を反射して、導光体上部で拡散される光の量を増加し、導光体で発光させる形状をよりくっきりと見えるようにすることができる。
【００１９】
なお、本実施例では磁気シールド部材２０の材質をアルミニウムとしたが、他の高導電率の金属しても良い。アルミニウムのように材質自身が銀色や灰色の場合、メッキ処理などを行った場合若しくは塗装処理を行って反射しやすい色に表面をした場合には、上面からの発光量を増加し明るくする、あるいはよりくっきりと表示することができるものである。
【００２０】
（実施例２）
図２（ａ）は本実施例２の誘導加熱調理器の断面図、（ｂ）は同導光体の上面図、ｃ）は同要部断面図であり、磁気シールド部材と導光体部分の関係を示す。また、全体の構成は既に説明した実施例１と同じであるので説明は省略する。同じ構成部材は同じ符号を付している。実施例１と異なるところは導光体２６は磁気シールド部材２０の内周面に接して設けられているところである。作用及び効果は実施例１と同じである。
【００２１】
なお、（ｂ’）のように導光体の一部を交差させて円還状部位外を遮蔽すれば、円還状の形状を発光表示することができる。
【００２２】
（実施例３）
図３（ａ）は本実施例３の誘導加熱調理器の磁気シールド部材と導光体部分の関係を示す要部分解斜視図、（ｂ）は同要部の断面図である。全体の構成は既に説明した実施例１と同じであるので説明は省略する。同じ構成部材は同じ符号を付している。実施例１と異なるところは磁気シールド部材２０は上方に開口し加熱コイル１５の周方向にループ状溝２１を設け、この溝２１内にリング状の導光体２６と発光体２７を挿入した所である。
【００２３】
以上の構成により、実施例１で説明したように温度上昇が抑制された磁気シールド部材２０内に樹脂製の導光体２６を取り付けているので組立てが容易である。さらにループ状溝２１があるためシールド部材２０の冷却効果も向上する。
【００２４】
また、導光体２６がシールド部材２０の凹部に挿入されているので、両側面と下面側で、導光体２６からの漏れる光が反射されるので、さらに上面から拡散される光の量が多くなり明るくなり、よりくっきり表示される。
【００２５】
なお、図３（ａ’）のように導光体２７の一部を交差させて不要部分を遮光すれば切り欠きのない円還状を表示することができる。
【００２６】
（実施例４）
図４（ａ）は本実施例４の誘導加熱調理器の要部分解斜視図、（ｂ）は同要部断面図である。磁気シールド部材２０には多数のスリット溝２４を設けている。実施例３と異なるところは磁気シールド部材２０に半径方向に多数のスリット溝２４を設けている。
【００２７】
上記構成により、導光体２６から発光した光はスリット溝２４を通過して放射状に散乱する。そのためトッププレート１６の上面から見ると誘導加熱調理器器が作動していることがよく判別できる。
【００２８】
（実施例５）
なお図５（ａ）は本実施例４の誘導加熱調理器の要部分解斜視図、（ｂ）は同要部断面図である。磁気シールド部材２０にスリット溝２４より大きな切欠き溝２５を設けることにより冷却風がさらに通りやすくなり、導光部２６の温度上昇を防止することができる。
【００２９】
なお、以上の実施例ではアルミニウム製の磁気シールド部材で説明してきたがアルミニウム合金、銅、または銅合金等、導電率の高い材質を磁気シールド部材の材料として用いても同様の効果を奏するものである。
【００３０】
【発明の効果】
以上のように本発明によれば、漏洩磁界を低減する磁気シールド部材を利用して、加熱コイルの周囲において、連続的な発光形状を明るく明瞭に表示できる、かつ磁気シールド部材と発光部材の実装密度を高くした誘導加熱調理器を提供することができる。
【図面の簡単な説明】
【図１】（ａ）本発明の実施例１における誘導加熱調理器の断面図
（ｂ）同導光体の上面図
（ｂ’）同導光体の他の形状例を示す平面図
（ｃ）同要部断面図
【図２】（ａ）本発明の実施例２における誘導加熱調理器の断面図
（ｂ）同導光体の上面図
（ｂ’）同導光体の他の形状例を示す平面図
（ｃ）同要部断面図
【図３】（ａ）本発明の実施例３における誘導加熱調理器の要部分解斜視図
（ａ’）同導光体の他の形状例を示す平面図
（ｂ）同要部断面図
【図４】（ａ）本発明の実施例４における誘導加熱調理器の要部分解斜視図
（ｂ）同要部断面図
【図５】（ａ）本発明の実施例５における誘導加熱調理器の要部分解斜視図
（ｂ）同要部断面図
【図６】（ａ）従来例の誘導加熱調理器の断面図
（ｂ）同導光体の平面図
【符号の説明】
１１  本体
１３  加熱コイル支持台
１５  加熱コイル
１６  トッププレート
１８  電気回路装置
２０  磁気シールド部材
２１  凹凸部
２２  ファン
２３  閉ループ状の溝
２４  スリット溝
２５  切欠き溝
２６  導光体
【図１】
0003620500.tif 000002
【図２】
0003620500.tif 000003
【図３】
0003620500.tif 000004
【図４】
0003620500.tif 000005
【図５】
0003620500.tif 000006
【図６】
0003620500.tif 000007